(57)【要約】【課題】静止画を引き立たせるために特殊効果処理を用いて印象的な映像を作成する画像生成装置を備えた撮像装置を提供する。【解決手段】被写体像は、デジタルカメラ１のレンズユニット２００のレンズ２１０ａ及び２１０ｂ等を介して撮像素子１１１に入射する。撮像素子１１１等によって、連続的に撮像された動画と静止画とが得られる。画処理ＩＣ１０２の第１の特殊効果処理部１０２ａは、得られた静止画に対して静止画用特殊効果処理を施して特殊効果静止画を作成する。画処理ＩＣ１０２の第２の特殊効果処理部１０２ｂは、動画に対して静止画用特殊効果処理に対応する複数の特殊効果を組み合わせた動画用特殊効果処理を施して特殊効果動画を作成する。このようにして、デジタルカメラ１は、特殊効果が施された静止画の前後にこの静止画を引き立てるための動画が設けられた静止画と動画とを含む映像を作成する。【選択図】図４
2014057169.tif 000002
【特許請求の範囲】
【請求項１】
連続して撮影された動画と静止画とを含む一つの映像コンテンツを生成する画像生成装置であって、
前記静止画に対して静止画用特殊効果処理を施して特殊効果静止画を作成する第１の特殊効果処理部と、
前記動画に対して前記静止画用特殊効果処理に応じた複数の特殊効果を組み合わせた動画用特殊効果処理を施して特殊効果動画を作成する第２の特殊効果処理部と、
を具備する画像生成装置。
【請求項２】
前記静止画用特殊効果処理と前記動画用特殊効果処理との組み合わせが複数用意されており、
第１の特殊効果処理部と第２の特殊効果処理部とは、複数の前記組み合わせの中から１つの前記組み合わせを選択して、それぞれ前記静止画用特殊効果処理と前記動画用特殊効果処理とを施す、
請求項１に記載の画像生成装置。
【請求項３】
前記動画用特殊効果処理において、前記複数の特殊効果の各々が施される時間が規定されている請求項１又は２に記載の画像生成装置。
【請求項４】
前記動画用特殊効果処理における前記特殊効果は、
画像全体が白画像又は黒画像へと徐々に変化するフェードアウト効果と、
画像全体が白画像又は黒画像から徐々に変化するフェードイン効果と、
画像全体が短時間白画像に変化する白フラッシュ効果と、
カラー画像からセピア調画像へと、又は、セピア調画像からカラー画像へと徐々に変化するセピア効果と、
カラー画像からモノクロ調画像へと、又は、モノクロ調画像からカラー画像へと徐々に変化するモノクロ効果と、
画像の彩度が徐々に変化する彩度変化効果と、
画像の階調が徐々に変化する階調変化効果と、
画像にぼかし処理を施すソフトフォーカス効果と、
所定フレーム数の画像を重ね合わせることで残像効果が得られるエコー効果と、
単位時間当たりに含まれるフレーム数を変更することで再生速度を変化するスローモーション効果と、
画像に霞がかかったような効果を与えるブラー効果と、
画像の周辺輝度を低下させるピンホール効果と、
画像の周辺輝度を低下させ色調又はコントラストを変更するトイフォト効果と、
のうち少なくとも何れか１つを含む請求項１乃至３のうち何れか１項に記載の画像生成装置。
【請求項５】
前記特殊効果静止画と前記特殊効果動画とに基づいて、１つの静動画ファイルを作成するファイル作成部をさらに具備する請求項１乃至４のうち何れか１項に記載の画像生成装置。
【請求項６】
前記特殊効果動画を含む動画ファイルと、前記動画ファイルに対する関連付け情報及び前記特殊効果静止画を含む静動画ファイルとを作成するファイル作成部をさらに具備する請求項１乃至４のうち何れか１項に記載の画像生成装置。
【請求項７】
動画と静止画とを撮像する撮像部と、
前記静止画に対して静止画用特殊効果処理を施して特殊効果静止画を作成する第１の特殊効果処理部と、
前記動画に対して前記静止画用特殊効果処理に対応する複数の特殊効果を組み合わせた動画用特殊効果処理を施して特殊効果動画を作成する第２の特殊効果処理部と、
前記特殊効果動画と前記特殊効果静止画とを含む一つの映像コンテンツを表示する表示部と、
を具備する撮像装置。
【請求項８】
連続して撮影された動画と静止画とを含む一つの映像コンテンツを生成する画像生成方法であって、
前記静止画に対して静止画用特殊効果処理を施して特殊効果静止画を作成することと、
前記動画に対して前記静止画用特殊効果処理に応じた複数の特殊効果を組み合わせた動画用特殊効果処理を施して特殊効果動画を作成することと、
を具備する画像生成方法。
【請求項９】
連続して撮影された動画と静止画とを含む一つの映像コンテンツをコンピュータに生成させるための画像生成プログラムであって、
前記静止画に対して静止画用特殊効果処理を施して特殊効果静止画を作成することと、
前記動画に対して前記静止画用特殊効果処理に応じた複数の特殊効果を組み合わせた動画用特殊効果処理を施して特殊効果動画を作成することと、
をコンピュータに実行させるための画像生成プログラム。
【発明の詳細な説明】
【技術分野】
【０００１】
本発明は、画像生成装置、それを備えた撮像装置、画像生成方法及び画像生成プログラムに関する。
【背景技術】
【０００２】
一般に、静止画と動画とを記録するデジタルカメラが知られている。例えば特許文献１には、動画の撮影中に静止画の撮影を行うことができる動画撮影可能なデジタルカメラが開示されている。このデジタルカメラにおいては、電源がオンにされたと同時に動画の記録が開始される。また、特許文献１には、静止画の前後の時間配分を異ならせて動画が記録されることが開示されている。また、例えば特許文献２には、静止画の撮影準備が整ったところでリングバッファに動画の記録を開始し、動画を静止画と関連付けて記録する。動画と静止画とが関連付けて記録されることで、静止画の撮影時の雰囲気が視聴者に伝わる。また、特許文献２には、静止画の前後の動画記録については、雰囲気を伝えるために同時に音声が記録されることが開示されている。
【先行技術文献】
【特許文献】
【０００３】
【特許文献１】特開２００７−２１５０８６号公報
【特許文献２】特開２００４−２９７１７７号公報
【発明の概要】
【発明が解決しようとする課題】
【０００４】
上記の特許文献１及び特許文献２には、静止画と動画とを組み合わせて記録することが開示されているが、何れの文献にも静止画を引き立たせることを考慮して動画に対して特殊効果等の処理を施すことについては何ら開示されていない。
【０００５】
そこで本発明は、静止画を引き立たせるための特殊効果処理を施すことで印象的な映像を作成する画像生成装置、それを備えた撮像装置、画像生成方法及び画像生成プログラムを提供することを目的とする。
【課題を解決するための手段】
【０００６】
前記目的を果たすため、本発明の一態様によれば、画像生成装置は、連続して撮影された動画と静止画とを含む一つの映像コンテンツを生成する画像生成装置であって、前記静止画に対して静止画用特殊効果処理を施して特殊効果静止画を作成する第１の特殊効果処理部と、前記動画に対して前記静止画用特殊効果処理に応じた複数の特殊効果を組み合わせた動画用特殊効果処理を施して特殊効果動画を作成する第２の特殊効果処理部と、を具備する。
【０００７】
前記目的を果たすため、本発明の一態様によれば、撮像装置は、動画と静止画とを撮像する撮像部と、前記静止画に対して静止画用特殊効果処理を施して特殊効果静止画を作成する第１の特殊効果処理部と、前記動画に対して前記静止画用特殊効果処理に対応する複数の特殊効果を組み合わせた動画用特殊効果処理を施して特殊効果動画を作成する第２の特殊効果処理部と、前記特殊効果動画と前記特殊効果静止画とを含む一つの映像コンテンツを表示する表示部と、を具備する。
【０００８】
前記目的を果たすため、本発明の一態様によれば、画像生成方法は、連続して撮影された動画と静止画とを含む一つの映像コンテンツを生成する画像生成方法であって、前記静止画に対して静止画用特殊効果処理を施して特殊効果静止画を作成することと、前記動画に対して前記静止画用特殊効果処理に応じた複数の特殊効果を組み合わせた動画用特殊効果処理を施して特殊効果動画を作成することと、を具備する。
【０００９】
前記目的を果たすため、本発明の一態様によれば、画像生成プログラムは、連続して撮影された動画と静止画とを含む一つの映像コンテンツをコンピュータに生成させるための画像生成プログラムであって、前記静止画に対して静止画用特殊効果処理を施して特殊効果静止画を作成することと、前記動画に対して前記静止画用特殊効果処理に応じた複数の特殊効果を組み合わせた動画用特殊効果処理を施して特殊効果動画を作成することと、をコンピュータに実行させる。
【発明の効果】
【００１０】
本発明によれば、静止画を引き立たせるための特殊効果処理を施すことで印象的な映像を作成する画像生成装置、それを備えた撮像装置、画像生成方法及び画像生成プログラムを提供できる。
【図面の簡単な説明】
【００１１】
【図１】一実施形態に係るデジタルカメラのカメラボディの一例を示す外観図。
【図２】一実施形態に係るデジタルカメラのカメラボディの一例を示す外観図。
【図３】一実施形態に係るデジタルカメラの撮影モードダイヤルの一例を示す図。
【図４】一実施形態に係るデジタルカメラの構成例を示すブロック図。
【図５】一実施形態に係るデジタルカメラにより作成される第１の静動画に含まれる画像の構成例を示す図。
【図６Ａ】一実施形態に係るデジタルカメラにより作成される第１の静動画の一例の概略を示す図。
【図６Ｂ】一実施形態に係るデジタルカメラにより作成される第１の静動画の一例の概略を示す図であって図６Ａの続きを示す図。
【図７】一実施形態に係るデジタルカメラにより作成される第２の静動画に含まれる画像の構成例を示す図。
【図８】一実施形態に係るデジタルカメラにより作成される第２の静動画の一例の概略を示す図。
【図９】一実施形態に係るデジタルカメラにより作成される第３の静動画に含まれる画像の構成例を示す図。
【図１０Ａ】一実施形態に係るデジタルカメラにより作成される第３の静動画の一例の概略を示す図。
【図１０Ｂ】一実施形態に係るデジタルカメラにより作成される第３の静動画の一例の概略を示す図であって図１０Ａの続きを示す図。
【図１１】一実施形態に係るデジタルカメラにより作成される第４の静動画に含まれる画像の構成例を示す図。
【図１２】一実施形態に係るデジタルカメラにより作成される第４の静動画の一例の概略を示す図。
【図１３】一実施形態に係るデジタルカメラにより作成される第５の静動画に含まれる画像の構成例を示す図。
【図１４】一実施形態に係るデジタルカメラにより作成される第５の静動画の一例の概略を示す図。
【図１５】一実施形態に係るデジタルカメラにより作成される第６の静動画に含まれる画像の構成例を示す図。
【図１６】一実施形態に係るデジタルカメラにより作成される第６の静動画の一例の概略を示す図。
【図１７】一実施形態に係るデジタルカメラにより作成される第７の静動画に含まれる画像の構成例を示す図。
【図１８】一実施形態に係るデジタルカメラにより作成される第７の静動画の一例の概略を示す図。
【図１９】一実施形態に係るデジタルカメラにより作成される第８の静動画に含まれる画像の構成例を示す図。
【図２０】一実施形態に係るデジタルカメラにより作成される第８の静動画の一例の概略を示す図。
【図２１】一実施形態に係るデジタルカメラにより作成される静動画の構成例の概略を示す図。
【図２２】一実施形態に係るデジタルカメラによるメイン処理の一例を示すフローチャート。
【図２３】一実施形態に係るデジタルカメラによる撮像動作処理の一例を示すフローチャート。
【図２４】一実施形態に係るデジタルカメラのレリーズボタンの押し込みとレリーズスイッチのオン及びオフとの関係の概略を示す図。
【図２５】一実施形態に係るデジタルカメラのレリーズボタンが半押しされてから全押しされるまでの時間と第１の動画時間との関係の一例を示す図。
【図２６】一実施形態に係るデジタルカメラによる動画撮影処理の一例を示すフローチャート。
【図２７】一実施形態に係るデジタルカメラによる静止画撮影処理の一例を示すフローチャート。
【図２８】一実施形態に係るデジタルカメラによる動画からの静動画の作成について説明するための図。
【図２９】一実施形態に係るデジタルカメラによるメニュー設定動作処理の一例を示すフローチャート。
【図３０】一実施形態に係るデジタルカメラによるメニュー設定動作における表示画像の一例を示す図。
【図３１】一実施形態に係るデジタルカメラによるメニュー設定動作における表示画像の一例を示す図。
【図３２】一実施形態に係るデジタルカメラによるメニュー設定動作における表示画像の一例を示す図。
【図３３】一実施形態に係るデジタルカメラによる再生動作処理の一例を示すフローチャート。
【図３４】一実施形態に係るデジタルカメラにより作成される静動画のファイル構成の一例を示すブロック図。
【図３５】一実施形態に係るデジタルカメラにより作成される静動画のファイル構成の一例を示すブロック図。
【図３６】一実施形態の変形例に係るデジタルカメラにより作成される静動画のファイル構成の一例を示すブロック図。
【図３７】一実施形態の変形例に係るデジタルカメラにより作成される静動画のファイル構成の一例を示すブロック図。
【図３８】一実施形態の変形例に係るデジタルカメラによる再生動作処理の一例を示すフローチャート。
【発明を実施するための形態】
【００１２】
本発明の一実施形態について図面を参照して説明する。本実施形態に係るデジタルカメラは、撮影を行って静止画の前後にこの静止画を引き立てるための動画が設けられた静止画と動画とを含む映像を作成するものである。このような静止画の前後に動画が設けられた映像を、以降において静動画と称することにする。本実施形態に係るデジタルカメラは、静動画において、動画に対して静止画を引き立てるような特殊効果処理が施されている。本実施形態に係るデジタルカメラのボディユニット１００の外観図を図１及び図２に示す。
【００１３】
図１に示すようにデジタルカメラのボディユニット１００は、撮影モードダイヤル１１と、メインダイヤル１２と、サブダイヤル１３と、レリーズボタン１４と、動画記録ボタン１５とを備える。撮影モードダイヤル１１は、後に図３を参照して説明するように、静止画、動画及び静動画等の選択や、静止画の場合の撮影設定等の選択を行うためのダイヤルである。メインダイヤル１２及びサブダイヤル１３は、各種撮影条件の選択の入力等を行うためのダイヤルである。本実施形態において、メインダイヤル１２及びサブダイヤル１３は、静動画に係るパラメータの変更にも用いられる。
【００１４】
レリーズボタン１４は、静止画の撮影の指示の入力を行うためのボタンである。レリーズボタン１４には、２段のスイッチが設けられており、レリーズボタン１４を半押しすると、１ｓｔレリーズスイッチ（１ＲＳＷ）がオンになり、レリーズボタン１４を全押しすると、２ｎｄレリーズスイッチ（２ＲＳＷ）がオンになる。例えば、静止画撮影においては、レリーズボタン１４が半押しされると、合焦位置の決定が行われ、レリーズボタン１４が全押しされると、静止画の撮影が行われる。例えば静動画の撮影においても、レリーズボタン１４が全押しされると、静止画の取得が行われる。また、本実施形態では、レリーズボタンが半押しされてから全押しされるまでの時間が、静動画に含まれる動画の設定に用いられる。動画記録ボタン１５は、動画記録の開始と終了の指示の入力を行うためのボタンである。動画記録ボタン１５が押圧されたとき、動画記録が開始され、再び動画記録ボタン１５が押圧されたとき、動画記録が終了する。
【００１５】
また、図２に示すようにボディユニット１００は、ファインダ１６と、タッチパネル付き背面液晶表示モニタ１７と、再生ボタン１８と、メニューボタン１９と、決定ボタン２０と、十字ボタン２１と、電源オン・オフレバー２２と、削除ボタン２３と、ホットシュー２４と、通信コネクタ２５とを備える。ファインダ１６及びタッチパネル付き背面液晶表示モニタ１７は、ライブビュー画像や各種カメラ情報を表示するための表示部である。ファインダ１６は、ＥＶＦ（Ｅｌｅｃｔｒｉｃ  Ｖｉｅｗ  Ｆｉｎｄｅｒ）とも呼ばれ、小型の液晶ディスプレイや有機ＥＬディスプレイ等を含み、表示画像を専用の光学系で拡大して撮影者に目視可能にさせるものである。ファインダ１６によれば、外光などの影響を受けにくく、撮影者は表示画像を視認しやすい。タッチパネル付き背面液晶表示モニタ１７には、作成された静動画が再生表示される。
【００１６】
再生ボタン１８は、記録メディアに記録された画像を再生する指示を入力するためのボタンである。メニューボタン１９は、デジタルカメラの各種設定などのメニューを表示させるためのボタンである。決定ボタン２０は、例えばメニュー画面において決定の指示を入力するためのボタンである。十字ボタン２１は、例えばメニュー画面において選択の指示を入力したり、その他各種選択を入力したりするためのボタンである。電源オン・オフレバー２２は、デジタルカメラの電源のオン又はオフの指示を入力するためのレバーである。本実施形態では、モードダイヤル１１の「静動画」が指標１１ｂの位置に合わされた状態（図３（ｂ）参照）、すなわち、静動画の撮影モードが選択された状態において電源がオンにされたとき、リングバッファへの動画の記録を開始させる。削除ボタン２３は、記録メディアに記録された画像を削除する指示を入力するためのボタンである。
【００１７】
ホットシュー２４は、デジタルカメラに、例えば外付けストロボといった外部アクセサリを接続するための部位である。通信コネクタ２５は、デジタルカメラに、接続された外付けアクセサリと通信を行うための通信ケーブルが接続される部位である。
【００１８】
撮影モードダイヤル１１について図３を参照してさらに説明する。図３に示されるように、撮影モードダイヤル１１には撮影モードを示す記号が記されている。撮影モードダイヤル１１は回転し、指標１１ｂと位置が一致する記号に対応する撮影モードが選択される。撮影モードダイヤル１１には、例えば図３に示されるように、静止画の撮影モードとしてプログラムＡＥモードを示す「Ｐ」や、絞り優先ＡＥモードを示す「Ａ」や、シャッタ速優先ＡＥモードを示す「Ｓ」や、マニュアルモードを示す「Ｍ」等が記されている。さらに、本実施形態に係る静動画を示す「静動画」や、動画を示すムービーカメラマークや、シーンに応じた撮影設定が行われるシーンモードを示す「ＳＣＮ」や、静止画に特殊効果を加えるアートフィルター（登録商標）を示す「ＡＲＴ」等が記されている。
【００１９】
本実施形態に係るデジタルカメラ１を表すブロック図を図４に示す。デジタルカメラ１は、ボディユニット１００とレンズユニット２００とを有する。レンズユニット２００は、ボディユニット１００に対して着脱自在である。本実施形態では、デジタルカメラ１として、レンズユニット２００がボディユニット１００から取り外し可能でレンズ交換が可能なカメラを示す。しかしながら、これに限定されず、本実施形態はレンズとボディとが固定されたカメラにも適用され得る。
【００２０】
レンズユニット２００は、レンズ２１０ａ及びレンズ２１０ｂと、絞り２０３とを備える。レンズユニット２００は、さらにレンズ２１０ａを駆動するレンズ駆動機構２０４と、絞り２０３を駆動する絞り駆動機構２０２とを備える。レンズユニット２００は、さらにレンズ制御用マイクロコンピュータ２０１を備える。レンズ制御用マイクロコンピュータ２０１は、合焦のため、レンズ駆動機構２０４を制御してレンズ２１０ａを動作させる。また、レンズ制御用マイクロコンピュータ２０１は、光量調整のため、絞り駆動機構２０２を制御して絞り２０３を動作させる。なお、図４は模式図であって、レンズ２１０ａ及びレンズ２１０ｂ等は何枚のレンズで構成されていてもよい。また、ズーム機能を有していてもよい。
【００２１】
ボディユニット１００は、デジタルカメラ１の各部の動作を制御する制御用マイクロコンピュータ１０１を備える。レンズ制御用マイクロコンピュータ２０１と制御用マイクロコンピュータ１０１とは、通信コネクタ１７０を介して接続されている。制御用マイクロコンピュータ１０１は、レンズ制御用マイクロコンピュータ２０１に、レンズユニット２００の各種動作に係る指令を出力する。
【００２２】
ボディユニット１００は、レンズユニット２００から入射された被写体像を光電変換して画像信号を生成する撮像素子１１１を備える。撮像素子１１１とレンズ２１０ｂとの間にはシャッタ１２０が設けられている。シャッタ１２０の動作は、ボディユニット１００に設けられたシャッタ制御駆動回路１２１によって制御される。シャッタ制御駆動回路１２１は、制御用マイクロコンピュータ１０１と接続し、制御用マイクロコンピュータ１０１の制御下で動作する。
【００２３】
ボディユニット１００は、撮像素子駆動ＩＣ１１０と、画処理ＩＣ１０２と顔検出ＩＣ１０３と、ＳＤＲＡＭ１０４と、タイマー１０５とを備える。画処理ＩＣ１０２は、制御用マイクロコンピュータ１０１の制御下で動作する。撮像素子駆動ＩＣ１１０は、画処理ＩＣ１０２の制御下で動作する。撮像素子駆動ＩＣ１１０は、撮像素子１１１を駆動し、撮像素子１１１から被写体像に係るアナログ信号を取得する。撮像素子駆動ＩＣ１１０は、撮像素子１１１から取得したアナログ信号をデジタル信号に変換し、通常行われるガンマ変換等を含む一部の画像処理を施して、処理後の画像信号を画処理ＩＣ１０２に出力する。画処理ＩＣ１０２は、本実施形態に係る静動画の作成を含む各種画像処理を行う。画処理ＩＣ１０２の処理においては、処理中のデータ等の一時記憶にＳＤＲＡＭ１０４が用いられる。顔検出ＩＣ１０３は、画像における顔の位置を検出する顔検出処理を行う。タイマー１０５は、本実施形態に係る静動画における後述の第１の動画の時間を決定するための時間の計測に用いられる。
【００２４】
画処理ＩＣ１０２は、第１の特殊効果処理部１０２ａと、第２の特殊効果処理部１０２ｂと、ファイル作成部１０２ｃと、動画時間決定部１０２ｄとを含む。第１の特殊効果処理部１０２ａは、本実施形態に係る静動画の作成において、静止画に対して静止画用特殊効果処理を施して特殊効果静止画を作成する。第２の特殊効果処理部１０２ｂは、本実施形態に係る静動画の作成において、動画に対して静止画用特殊効果に対応する複数の特殊効果を組み合わせた動画用特殊効果処理を施して特殊効果動画を作成する。ファイル作成部１０２ｃは、特殊効果静止画や、特殊効果動画に基づいて、静動画に係るファイルを作成する。動画時間決定部１０２ｄは、本実施形態に係る静動画の作成において、特殊効果動画のうち、後述の第１の動画の時間を決定する。
【００２５】
さらにボディユニット１００には、外部アクセサリ等との通信を行うための通信コネクタ１３０と、ボディユニット１００に着脱自在な記録メディア１３１と、表示モニタ１４０と、タッチパネル１５０と、操作スイッチ（操作ＳＷ）１６０とが設けられている。記録メディア１３１は、一般的な記録メディアであり、例えば画処理ＩＣ１０２で画像処理された画像が記録される。
【００２６】
表示モニタ１４０は、ファインダ１６及びタッチパネル付き背面液晶表示モニタ１７に対応し、画処理ＩＣ１０２で画像処理された画像を表示する。タッチパネル１５０は、液晶表示モニタに対応して設けられている。タッチパネル１５０は、ユーザによるタッチの位置を検出する。操作スイッチは、撮影モードダイヤル１１、メインダイヤル１２、サブダイヤル１３、レリーズボタン１４、動画記録ボタン１５、メニューボタン１９、決定ボタン２０、十字ボタン２１、電源オン・オフレバー２２、及び削除ボタン２３等、各種入力のための操作スイッチである。通信コネクタ１３０は、ホットシュー２４や通信コネクタ２５に対応する。
【００２７】
本実施形態において画処理ＩＣ１０２が作成する静動画の例を、図５乃至図２０を参照して説明する。本実施形態では、静動画として、複数の画像処理の組み合わせが用意されている。以降、画像処理の組み合わせによって作成される各静動画の種類をシナリオと称することにする。
【００２８】
図５、図７、図９、図１１、図１３、図１５、図１７及び図１９は、シナリオ毎に静動画に含まれる画像の順序の概略を示している。また、図６Ａ及び図６Ｂ、図８、図１０Ａ及び図１０Ｂ、図１２、図１４、図１６、図１８並びに図２０は、各静動画についての理解を助けるために、静動画に含まれる画像に対して施される処理の概略を、経過時間順に模式的に示している。なお、図５、図７、図９、図１１、図１３、図１５、図１７及び図１９の各枠内に示された符号は、図６Ａ及び図６Ｂ、図８、図１０Ａ及び図１０Ｂ、図１２、図１４、図１６、図１８並びに図２０に示された参照符号に対応する。また、図５、図７、図９、図１１、図１３、図１５、図１７及び図１９には、静動画に含まれる各構成要素の時間が示されている。これら構成要素の時間は、例えば下記の表１に示される値となる。これら構成要素の各時間は、表１の値が初期値として設定されており、撮影者によって調整され得る。なお、静動画の全体の長さをｔ２０とする。表１に示されるような初期値が設定されることで、撮影者は細かな設定を行うことなく、容易に印象的な静動画を取得することができる。
【００２９】
図５を例にとって、表１を説明する。表１の１列目はシナリオ名を表す。表１の２列目のｔ１１は、各シナリオの第１の動画部の継続時間である第１の動画時間に係る時間を表す。この時間は、ｍｉｎ及びｍａｘの２つの値を持ち、それぞれは、後程説明する図２５に示すｔ１１＿ｍｉｎ及びｔ１１＿ｍａｘに対応する。表１の３列目のｔ１２は、Ｉ１０４の第１の画像におけるズームアップの効果表示時間、及びＩ１１６の第６の画像におけるズームダウンの効果表示時間に対応する。表１の４列目のｔ１３は、Ｉ１０５、Ｉ１０７、Ｉ１０９、Ｉ１１１、Ｉ１１３及びＩ１１５の白フラッシュの効果表示時間に対応する。表１の５列目のｔ１４は、Ｉ１０６の第２の画像である静止画像、Ｉ１０８の第３の画像である静止画像、Ｉ１１２の第４の画像である静止画像、及びＩ１１４の第５の画像である静止画像の効果表示時間に対応する。表１の６列目のｔ１５は、Ｉ１１０の静止画を表示する時間に対応する。表１の７列目のｔ１６は、Ｉ１１７及びＩ１１８の第２の動画の表示時間に対応する。表１の８列目のｔ１７は、図７のＩ２１２−Ｉ２１４で表示する黒フェードアウトや、図１３のＩ５１１の白フェードアウトの効果表示時間である。表１の９列目の計（ｔ２０）は、上記それぞれの時間と、表示回数をかけて加えた総計時間であり、各時間の上の数字は、ｔ１１がｍｉｎを取ったとき、下の数字はｔ１１がｍａｘを取ったときの総計時間を表す。
【表１】
2014057169.tif 000003
【００３０】
図５、図７、図９、図１１、図１３、図１５、図１７及び図１９に示されるように、何れの静動画においても、静止画を含む静止画部の前に特殊効果が施された動画を含む第１の特殊効果動画部が、静止画部の後に特殊効果が施された動画を含む第２の特殊効果動画部が、それぞれ設けられている。第１の特殊効果動画部には、撮影ごとにその長さが決定される第１の動画部と、第１の動画部と静止画部とをつなぐ第１の移行部とが含まれている。第１の動画部の長さをｔ１１とする。
【００３１】
［第１の静動画］
画処理ＩＣ１０２は、第１の静動画として、シナリオ名を「ズーム」とする静動画を作成する。第１の静動画について、図５と図６Ａ及び図６Ｂとを参照して説明する。第１の静動画の第１の特殊効果動画部は、図６Ａの画像Ｉ１０１乃至Ｉ１０３に示されるように、第１の動画部として、特殊加工が施されていない動画を含む。この動画の時間はｔ１１である。この時間ｔ１１は、後述の通り、撮影ごとに変更される。
【００３２】
第１の特殊効果動画部はさらに、図６Ａの画像Ｉ１０４に示されるように、第１の移行部として、電子ズームによって徐々に主要被写体にズームアップする画像処理が施された動画を含む。主要被写体は、例えば顔検出ＩＣ１０３による顔検出によって特定される。主要被写体は他の方法で特定されても勿論よい。ズームアップする動画の時間はｔ１２である。第１の特殊効果動画部はさらに、図６Ａの画像Ｉ１０５乃至Ｉ１０９に示されるように、第１の移行部として、例えば電子ズームによりズームアップされた静止画像と白フラッシュとが交互に挿入されている動画を含む。ここで、画像Ｉ１０６及びＩ１０８の静止画は、元の動画における所定のタイミングについて抽出された静止画像である。白フラッシュは、フラッシュを浴びさせたような効果を得るために、画像Ｉ１０５、Ｉ１０７及びＩ１０９のように、画像全体を瞬間的に白くするものである。白フラッシュの時間はｔ１３であり、白フラッシュと白フラッシュとの間の時間はｔ１４である。
【００３３】
第１の静動画の静止画部の静止画は、図６の画像Ｉ１１０に示されるように、電子ズームによって拡大された静止画である。この静止画の時間はｔ１５である。
【００３４】
第１の静動画の第２の特殊効果動画部は、第２の移行部として、図６Ａ及び図６Ｂの画像Ｉ１１１乃至Ｉ１１５に示されるように、第１の特殊効果動画の場合と同様に、ズームアップされた静止画と白フラッシュとが交互に配置された動画を含む。第２の特殊効果動画部はさらに、第２の移行部として、図６Ｂの画像Ｉ１１６に示されるように、徐々に主要被写体からズームダウンする画像処理を施された動画を含む。このズームダウンする動画の時間は、ｔ１２である。最後に、第２の特殊効果動画部は、第２の動画部として、図６Ｂの画像Ｉ１１７乃至Ｉ１１８に示されるように、特殊加工が施されていない動画を含む。
【００３５】
このように、第１の静動画としての「ズーム」において、静止画部の静止画は、電子ズームを利用してズームアップされた画像である。この静止画が引き立つように、静止画の前に徐々にズームアップする動画、及びズームアップされた静止画像と白フラッシュとが交互に表される動画が設けられ、その後に続けて表示されるズームアップされた静止画に印象付けて繋がるような特殊効果が演出されている。また、静止画の後にズームアップされた静止画と白フラッシュとが交互に表される動画、及び徐々にズームダウンする動画が設けられている。このように第１の静動画は、全体として躍動感がある動画となっている。ここでは、ズームアップやズームダウンは電子ズームを用いて実現されている例を示したが、撮影中にレンズユニット２００の光学ズームがシナリオに連動して駆動されるようにしてもよい。
【００３６】
［第２の静動画］
画処理ＩＣ１０２は、第２の静動画として、シナリオ名を「フラッシュバック」とする静動画を作成する。第２の静動画について、図７と図８とを参照して説明する。第２の静動画の第１の特殊効果動画部は、図８の画像Ｉ２０１に示されるように、第１の動画部として、特殊効果処理が施されていない動画像を含む。特殊効果処理が施されていない動画像の長さは、時間ｔ１１である。この時間ｔ１１は、後述の通り、撮影ごとに変更される。
【００３７】
第１の特殊効果動画部は、さらに図８の画像Ｉ２０２乃至Ｉ２０６に示されるように、第１の移行部として、白フラッシュと特殊効果が施された動画との繰り返しを含む。ここで、動画に施される特殊効果は、画像にぼかし処理を施すソフトフォーカス効果が付加された上で、ピンホールカメラで撮影したような効果を与えるため画像周辺の輝度を低下させたものである。輝度を低下させる範囲は時間経過とともに変化し揺らぐ。すなわち、第１の特殊効果動画部の第１の移行部は、図８の画像Ｉ２０２乃至Ｉ２０６に示されるように、ソフトフォーカス効果が与えられた上に周辺輝度が低下した動画像に、所定のタイミングで瞬間的な白画像が挿入された動画像となる。なお、白フラッシュで挿入される白画像の時間はｔ１３であり、白フラッシュと白フラッシュとの間の動画の時間はｔ１４である。
【００３８】
第２の静動画の静止画部は、図８の画像Ｉ２０７に示されるように、ソフトフォーカス効果及び周辺光量低下効果が施された静止画像で構成される。静止画部の長さは、時間ｔ１５である。
【００３９】
第２の静動画の第２の特殊効果動画部は、図７及び図８の画像Ｉ２０８乃至Ｉ２１４に示されるように、第２の移行部、第２の動画部及びフェードアウト部を含む。第２の移行部は、図８の画像Ｉ２０８乃至Ｉ２１０に示されるように、第１の移行部と同様に、白フラッシュとソフトフォーカス及び周辺光量低下の効果が施された動画との繰り返しで構成される動画を含む。第２の動画部は、図８の画像Ｉ２１１に示されるように、ソフトフォーカス及び周辺光量低下の効果が施された動画を含む。フェードアウト部は、図８の画像Ｉ２１２乃至Ｉ２１４に示されるように、黒フェードアウト動画を含む。黒フェードアウト動画は、明度が徐々に低下して黒画像へと変化する動画である。最後の白フラッシュから黒フェードアウトまでの動画の時間はｔ１６である。黒フェードアウトの時間はｔ１７である。
【００４０】
このように、第２の静動画としての「フラッシュバック」では、静止画部の静止画は、ソフトフォーカス効果が施された軟調な画像であり、さらに周辺光量低下効果が施されている。この静止画が引き立つようにその前後には、ソフトフォーカス効果と光量が低下する領域が時間と共に変化する周辺光量低下効果とが施され、時々瞬間的な白フラッシュが挿入されたロマンチックな雰囲気の動画が設けられている。
【００４１】
［第３の静動画］
画処理ＩＣ１０２は、第３の静動画として、シナリオ名を「エコー」とする静動画を作成する。第３の静動画について、図９と図１０Ａ及び図１０Ｂとを参照して説明する。第３の静動画の第１の特殊効果動画部は、図１０Ａの画像Ｉ３０１乃至Ｉ３０２に示されるようなフェードイン部としての白フェードイン動画と、図１０Ａの画像Ｉ３０３に示されるような第１の動画部としてのソフトフォーカス効果が施された動画とを含む。すなわち、白フェードイン動画は、白画像から動画が徐々に表れてくるように明度が変化する動画である。白フェードインの時間はｔ１７となっている。ソフトフォーカス効果が施された画像Ｉ３０３の時間はｔ１１であり、後述の通り、撮影ごとに変更される。
【００４２】
第１の特殊効果動画部はさらに、図１０Ａの画像Ｉ３０４乃至Ｉ３０９に示されるように、第１の移行部として、エコー効果及びソフトフォーカス効果が施された動画像と白フラッシュとの繰り返しを含む。ここで、エコー効果は、所定のフレーム数の残像が残る画像処理である。エコー効果とソフトフォーカス効果が施された動画像に、白フラッシュが挿入されることで、動画像の連続感に区切りがつけられ、画像の連続性が断ち切られたように感じさせる効果がある。なお、白フラッシュで挿入される白画像の時間はｔ１３であり、白フラッシュと白フラッシュとの間の動画の時間はｔ１４である。第１の特殊効果動画部はさらに、図１０Ａの画像Ｉ３１０に示されるように、第１の移行部として、最後の白画像から静止画へと徐々に画像が現れるように明度が変化するフェードイン画像を含む。フェードインの時間はｔ１７である。
【００４３】
第３の静動画の静止画部は、図１０Ａの画像Ｉ３１１に示されるように、ソフトフォーカス処理が施された静止画で構成される。この静止画の時間はｔ１５である。
【００４４】
第３の静動画の第２の特殊効果動画部は、図１０Ａの画像Ｉ３１２に示されるように、第２の移行部として、静止画から徐々に明度が増加して白画像へと変化する白フェードアウト画像を含む。白フェードアウトの時間はｔ１７である。第２の特殊効果動画部はさらに、第２の移行部として、フェードインする動画を含み、その後に図１０Ｂの画像Ｉ３１３乃至Ｉ３１５に示されるように、ソフトフォーカス及びエコー効果が施された動画を含む。静止画部の後のフェードインからソフトフォーカス及びエコー効果が施された動画の時間は、３×ｔ１４である。第３の特殊効果動画部はさらに、図１０Ｂの画像Ｉ３１６に示されるように、第２の動画部として、ソフトフォーカスのみが施された動画を含む。この動画の時間はｔ１６である。最後に第２の特殊効果動画部は、図１０Ｂの画像Ｉ３１７乃至Ｉ３１８に示されるように、黒フェードアウトする動画を含む。黒フェードアウトの時間はｔ１７である。
【００４５】
このように、第３の静動画としての「エコー」では、静止画部の静止画は、ソフトフォーカス効果が施された軟調な画像である。この静止画が引き立つように、その前後にはソフトフォーカス効果が与えられた上にエコー効果が施された幻想的な雰囲気の動画が設けられている。第１の移行部及び第２の移行部においてエコー効果が付加されることで、静止画部のソフトフォーカス効果が引き立つ。
【００４６】
［第４の静動画］
画処理ＩＣ１０２は、第４の静動画として、シナリオ名を「ブラー（Ｂｌｕｒ）」とする静動画を作成する。第４の静動画について、図１１と図１２とを参照して説明する。第４の静動画の第１の特殊効果動画部では、図１２の画像Ｉ４０１に示されるように、第１の動画部として、画像処理が施された動画を含む。この動画は、ポップアート調の画像処理、すなわち、画像の彩度を上げる画像処理が施されている。さらに、動画は、トイフォト風に画像周辺の輝度を低下させ色調やコントラストを変化させる画像処理が施されている。さらに動画は、画像全体について霞をかけたようなぼかし処理が施されている。このぼかし処理は、例えば水平及び垂直方向に画像に移動ブレを付与することで実現される。図１２においては、霞をかけたような処理が横線の網掛けで模式的に示されている。この動画の時間は時間はｔ１１であり、後述の通り、撮影ごとに変更される。
【００４７】
続いて第１の特殊効果動画部は、図１２の画像Ｉ４０２乃至Ｉ４０５に示されるように、第１の移行部として、ポップアート調の画像処理と、トイフォト風の画像処理と、全体に霞がかかったようなぼかし処理とが施された動画を含む。ここで、周辺光量が低下する範囲を規定する楕円の径は時間経過とともに変化する。画像Ｉ４０２乃至Ｉ４０５の時間は７×ｔ１４である。
【００４８】
第４の静動画の静止画部は、図１２の画像Ｉ４０６に示されるように、ポップアート調の画像処理と、トイフォト風の画像処理とが施されている。この静止画の時間はｔ１５である。
【００４９】
第４の静動画の第２の特殊効果動画部は、図１２の画像Ｉ４０７乃至Ｉ４１０に示されるように、第２の移行部として、第１の特殊効果動画部の場合と同様に、ポップアート調の画像処理と、トイフォト風の画像処理と、全体に霞を掛けたようなぼかし処理とが施され、周辺光量が低下する範囲を規定する楕円の径が時間経過とともに変化する動画を含む。画像Ｉ４０７乃至Ｉ４１０の時間は７×ｔ１４である。最後に、第２の特殊効果動画部は、フェードアウト部として図１２の画像Ｉ４１１に示されるように黒フェードアウトする動画を含む。
【００５０】
このように、第４の静動画としての「ブラー」では、静止画部の静止画は、ポップアート調の画像処理と、トイフォト風の画像処理と、全体に霞を掛けたようなぼかし処理とが施されている。この静止画が引き立つように、その前後には周辺光量落ちの範囲を規定する楕円の径が時間経過とともに変化する動画が設けられている。
【００５１】
［第５の静動画］
画処理ＩＣ１０２は、第５の静動画として、シナリオ名を「ポップアート（Ｐｏｐ  Ａｒｔ）」とする静動画を作成する。第５の静動画について、図１３と図１４とを参照して説明する。第５の静動画の第１の特殊効果動画部は、図１４の画像Ｉ５０１に示されるように、第１の動画部として、彩度を低下させてパステル調の画像とする画像処理が施された動画を含む。この動画の時間はｔ１１であり、後述の通り、撮影ごとに変更される。
【００５２】
続いて第１の特殊効果動画部は、図１４の画像Ｉ５０２乃至Ｉ５０７に示されるように、第１の移行部として、画像Ｉ５０１のパステル調の画像から彩度が徐々に低下してモノクロ画像となるような画像処理が施された動画を含む。その後、第１の特殊効果動画部は、図１４の画像Ｉ５０８に示されるように、黒フェードアウトする動画を含み、さらに、画像Ｉ５０９に示されるように、白フラッシュを含む。黒フェードアウトの時間はｔ１７であり、白フラッシュの時間はｔ１３である。なお、図１４においては、彩度が下げられた画像は塗りが薄い画像として模式的に示されている。
【００５３】
第５の静動画の静止画部は、図１４の画像Ｉ５１０に示されるように、彩度が高いポップアート調の画像処理が施されている。この静止画の時間はｔ１５である。第２の特殊効果動画部は、フェードアウト部として、図１４の画像Ｉ５１１に示されるように、白フェードアウトする動画を含む。
【００５４】
このように、第５の静動画としての「ポップアート」では、静止画部の静止画は、彩度が際立ったポップアート調の画像処理が施されている。この静止画が引き立つように、初めに彩度が徐々に低下してモノクロになる動画が設けられ、黒フェードアウトして白フラッシュが挿入された後にポップアート調の静止画が示される。このように、彩度を徐々に低下させてから、白フラッシュで区切りを入れて彩度が高い静止画を示すことで、特殊効果画像と静止画との間の視覚的ギャップを視聴者に与えることにより、静止画部において彩度が上げられている効果が強調される。
【００５５】
［第６の静動画］
画処理ＩＣ１０２は、第６の静動画として、シナリオ名を「ラフモノクローム（Ｇｒａｉｎｙ  Ｆｉｌｍ）」とする静動画を作成する。第６の静動画について、図１５と図１６とを参照して説明する。第６の静動画の第１の特殊効果動画部は、図１６の画像Ｉ６０１に示されるように、第１の動画部として、特殊加工が施されていない動画を含む。この動画の時間はｔ１１であり、後述の通り、撮影ごとに変更される。
【００５６】
第１の特殊効果動画部はさらに、図１６の画像Ｉ６０２乃至Ｉ６０７に示されるように、第１の移行部として、徐々に彩度が低下していき、徐々にモノクロ画像へと変化する画像処理が施された動画を含む。画像Ｉ６０２乃至Ｉ６０７の時間は、６×ｔ１４である。第１の特殊効果動画部はさらに、図１６の画像Ｉ６０８に示されるように、第１の移行部として、徐々に黒画像へと変化していく黒フェードアウトと、その後の白フラッシュとを含む。黒フェードアウトの時間はｔ１７であり、白フラッシュの時間はｔ１３である。なお、図１６においては、彩度が下げられた画像は塗りが薄い画像として模式的に示されている。
【００５７】
静止画部の静止画は、図１６の画像Ｉ６１０に示されるように、彩度が下げられてモノクロ調とする画像処理が施されている。このモノクロの静止画の時間はｔ１５である。第２の特殊効果動画部は、フェードアウト部として、図１６の画像Ｉ６１１に示されるように、白フェードアウトする動画を含む。
【００５８】
このように、第６の静動画としての「ラフモノクローム」では、静止画部の静止画は、モノクロ画像にする画像処理が施されている。この静止画が引き立つように、初めに彩度が徐々に低下してモノクロになる動画が設けられ、黒フェードアウトと区切りを入れるための白フラッシュとが挿入された後に再びモノクロの静止画が示される。
【００５９】
［第７の静動画］
画処理ＩＣ１０２は、第７の静動画として、シナリオ名を「ジェントルセピア（Ｇｅｎｔｌｅ  Ｓｅｐｉａ）」とする静動画を作成する。第７の静動画について、図１７と図１８とを参照して説明する。第７の静動画の第１の特殊効果動画部は、図１８の画像Ｉ７０１に示されるように、第１の動画部として、特殊加工が施されていない動画を含む。この動画の時間はｔ１１であり、後述の通り、撮影ごとに変更される。
【００６０】
第１の特殊効果動画部はさらに、図１８の画像Ｉ７０２乃至Ｉ７０７に示されるように、第１の移行部として、画像の重心に中心を有する楕円の外側をセピア調に画像処理した動画を含む。楕円の内側は処理されていないカラー画像となっている。この楕円は、時間経過とともに小さくなる。したがって、図１８の画像Ｉ７０２乃至Ｉ７０７に示されるように、動画は、周辺部から中心部に向けて徐々にセピア調に変化する。画像Ｉ７０２乃至Ｉ７０７の時間は、６×ｔ１４である。第１の特殊効果動画部はさらに、図１８の画像Ｉ７０８に示されるように、第１の移行部として、徐々に黒画像へと変化していく黒フェードアウトと、その後の白フラッシュとを含む。黒フェードアウトの時間はｔ１７であり、白フラッシュの時間はｔ１３である。なお、図１８においては、セピア調の画像は網掛けが施された画像として模式的に示されている。
【００６１】
第７の静動画の静止画部の静止画は、図１８の画像Ｉ７１０に示されるように、彩度が下げられてセピア調とする画像処理が施されている。このセピア調の静止画の時間はｔ１５である。第７の静動画の第２の特殊効果動画部は、フェードアウト部として、図１８の画像Ｉ７１１に示されるように、白フェードアウトする動画を含む。
【００６２】
このように、第７の静動画としての「ジェントルセピア」では、静止画部の静止画は、セピア調の画像にする画像処理が施されている。この静止画が引き立つように、周辺部からセピア調に変化していく動画が設けられ、黒フェードアウトと区切りを入れるための白フラッシュとが挿入された後に再びセピア調の静止画が示される。
【００６３】
［第８の静動画］
画処理ＩＣ１０２は、第８の静動画として、シナリオ名を「スローモーション」とする静動画を作成する。第８の静動画について、図１９と図２０とを参照して説明する。第８の静動画の第１の特殊効果動画部は、図２０の画像Ｉ８０１に示されるように、第１の動画部として、特殊加工が施されていない動画を含む。この動画の時間はｔ１１であり、後述の通り、撮影ごとに変更される。
【００６４】
第１の特殊効果動画部はさらに、第１の移行部として、図２０の画像Ｉ８０２に示されるように通常よりも早送りした動画と、図２０の画像Ｉ８０３に示されるように通常速度の動画と、図２０の画像Ｉ８０４に示されるように通常よりも遅送りした動画とを含む。早送りでは、例えば通常速度の１．１乃至１．４倍速とし、遅送りでは、例えば通常速度の０．９乃至０．７倍速とする。早送りと通常速度と遅送りとの時間は、それぞれｔ１４である。第１の特殊効果動画部はさらに、図２０の画像Ｉ８０５乃至Ｉ８０６に示されるように、第１の移行部として、白フェードアウト動画を含む。白フェードアウトの時間はｔ１７である。
【００６５】
第８の静動画の静止画部は、図２０の画像Ｉ８０７に示されるように、画像処理が施されていない静止画を含む。この静止画の時間はｔ１５である。
【００６６】
第８の静動画の第２の特殊効果動画部は、第２の移行部として、図２０の画像Ｉ８０８に示されるように通常よりも遅送りした動画と、図２０の画像Ｉ８０９に示されるように通常速度の動画と、図２０の画像Ｉ８１０に示されるように通常よりも早送りした動画とを含む。遅送りでは、例えば通常速度の０．９乃至０．７倍速とし、早送りでは、例えば通常速度の１．１乃至１．４倍速とする。遅送りと通常速度と早送りとの時間は、それぞれｔ１４である。第２の特殊効果動画部はさらに、図２０の画像Ｉ８１１に示されるように、第２の動画部として、特殊加工が施されていない動画を含む。動画の時間はｔ１６である。第２の特殊効果動画部はさらに、フェードアウト部として、図２０の画像Ｉ８１２に示されるように、黒フェードアウト動画を含む。黒フェードアウトの時間はｔ１７である。
【００６７】
このように、第８の静動画としての「スローモーション」では、静止画の前に早送り、通常速、遅送りとして、速度のギャップを強調してスローモーションの効果を高め、さらに静止画の後に、遅送り、通常速、早送りとして速度のギャップを強調している。すなわち、例えば早送りの後に遅送りすることで、遅送りの効果が強調されている。このようにして、第８の静動画においても静止画が引き立たされている。
【００６８】
図２１に模式図を示すように、静動画は、特殊効果が施された静止画部の前に第１の特殊効果動画部が設けられている。第１の特殊効果動画部は、第１の動画部と、第１の動画部と静止画部とをつなぐ第１の移行部が設けられている。静動画には、図２１（ａ）に示されるように、静止画部の後がすぐにフェードアウトなどになっておりすぐに終了するものと、図２１（ｂ）に示すように、静止画部の後に第２の移行部及び第２の動画部を含むものとがある。なお、第１乃至第７の静動画においては、静止画に画像処理が施されているが、第８の静動画においては、静止画に画像処理が施されていない。
【００６９】
このように、第１乃至第７の静動画においては、静止画部の静止画を引き立てるような特殊効果動画部の動画が設けられている。例えば第３の静動画の「エコー」においては、静止画部の静止画にソフトフォーカス処理が施されているので、このソフトフォーカスを引き立てるように、特殊効果動画部の動画には、ソフトフォーカス効果に加えてソフトフォーカス効果に類似したエコー効果が施されている。また、例えば第５の静動画の「ポップアート」においては、静止画部の静止画に彩度を上昇させるポップアート処理が施されているので、このポップアート処理を引き立てるように、特殊効果動画部の動画には、ポップアート処理とは反対に彩度を低下させてモノクロ画像にする処理が施されている。このように、静止画部の静止画に施された特殊効果と類似の又は逆の効果が特殊効果動画部の動画に施されることで、静止画がより引き立つようになっている。すなわち、静止画用の特殊効果処理に応じて工夫された動画用の特殊効果処理がシナリオとして用意されている。シナリオが複数用意されていることによって、撮影者は被写体に応じてシナリオを選択することで、意図した特殊効果が施された静動画を容易に作成することができる。
【００７０】
なお、上記の例は一例であり、適宜変更され得る。例えば、各静動画のフェードイン部及びフェードアウト部はあってもなくてもよい。したがって、上記の説明でフェードイン部を示したものについてフェードイン部を含まないようにしてもよいし、上記の説明でフェードイン部を示していないものについてフェードイン部を含むようにしてもよい。フェードインは、黒フェードインでも白フェードインでもよいし、他の色からフェードインするものでもよい。フェードアウトは、黒フェードアウトでも白フェードアウトでもよいし、他の色にフェードアウトするものでもよい。
【００７１】
また、例えば白フラッシュが挿入されるシナリオにおいて白フラッシュは１回しか挿入されないなど、回数が変更されてもよいし、白フラッシュを入れない等の変更がされてもよい。また、繰り返しがなされる部分の繰り返し回数や、継続時間などは変更され得る。また、第２の動画部が設けられているシナリオでは、第２の動画部が設けられなくてもよいし、第２の動画部が設けられていないシナリオで、第２の動画部を設けるように変更してもよい。
【００７２】
また、上記の各静動画に含まれる、画像全体が白画像又は黒画像へと徐々に変化するフェードアウト効果と、画像全体が白画像又は黒画像から徐々に変化するフェードイン効果と、画像全体が短時間白画像に変化する白フラッシュ効果と、カラー画像からセピア調画像へと、又は、セピア調画像からカラー画像へと徐々に変化するセピア効果と、カラー画像からモノクロ調画像へと、又は、モノクロ調画像からカラー画像へと徐々に変化するモノクロ効果と、画像の彩度が徐々に変化する彩度変化効果と、画像の階調が徐々に変化する階調変化効果と、画像にぼかし処理を施すソフトフォーカス効果と、所定フレーム数の画像を重ね合わせることで残像効果が得られるエコー効果と、単位時間当たりに含まれるフレーム数を変更することで再生速度を変更するスローモーション効果と、画像に霞がかかったような効果を与えるブラー効果と、画像の周辺輝度を低下させるピンホール効果と、画像の周辺輝度を低下させ色調又はコントラストを変更するトイフォト効果とのうちから選択された効果が適宜組み合わされた上記していない静動画が作成されてもよい。
【００７３】
次に、本実施形態に係るデジタルカメラ１の動作を図２２を参照して説明する。ステップＳ１０２において、制御用マイクロコンピュータ１０１は、電源がオンになったか否かを判定する。電源がオンになったと判定されたとき、処理はステップＳ１０６に進む。一方、電源がオンでないと判定されたとき、処理はステップＳ１０４に進む。ステップＳ１０４において、制御用マイクロコンピュータ１０１は、スリープモードで待機する。スリープ状態から起動させる旨の信号が制御用マイクロコンピュータ１０１に入力されたとき、処理はステップＳ１０６に進む。例えば電源オン・オフレバー２２がオンにされたとき、処理はステップＳ１０６に進む。このため、制御用マイクロコンピュータ１０１は、スリープ状態から起動させる旨の信号の有無を定期的に確認する。ステップＳ１０６において、制御用マイクロコンピュータ１０１は、デジタルカメラ１の各部への電源供給を開始する。
【００７４】
ステップＳ１０８において、制御用マイクロコンピュータ１０１は、デジタルカメラ１の各部と通信し、撮影モード、撮影条件、レンズ情報等を読み込む。ステップＳ１１０において、制御用マイクロコンピュータ１０１は、撮影条件や光量検出結果に基づいて、露光量演算を行い、適正露出のための露光パラメータを決定する。ステップＳ１１２において、制御用マイクロコンピュータ１０１は、撮像を開始させる。すなわち、シャッタ１２０を開き撮像素子１１１に光電変換を開始させ、画処理ＩＣ１０２による画像処理によって、ライブビュー画像を作成させる。ステップＳ１１４において、制御用マイクロコンピュータ１０１は、得られたライブビュー画像を表示モニタ１４０に表示させるライブビュー表示を開始させる。
【００７５】
ステップＳ１１６において、制御用マイクロコンピュータ１０１は、静動画モードであるか否かを判定する。静動画モードとは、本実施形態に係る特徴的なモードであり、視聴者にとっての静止画の印象を強めるために静止画の前又は前後に加工された動画を付加した静動画を記録するモードである。上述の通り、静動画として静止画と動画との加工の組み合わせに応じた複数のシナリオが用意されている。静動画モードでないと判定されたとき、処理はステップＳ１２２に進む。一方、静動画モードであると判定されたとき、処理はステップＳ１１８に進む。
【００７６】
ステップＳ１１８において、制御用マイクロコンピュータ１０１は、ユーザの選択に基づいて静動画のシナリオを決定する。さらに、制御用マイクロコンピュータ１０１は、ＳＤＲＡＭ１０４に静動画用のリングバッファのための領域を確保する。ステップＳ１２０において、制御用マイクロコンピュータ１０１は、ステップＳ１１８で設定したＳＤＲＡＭ１０４のリングバッファ用の領域に動画の記録を開始する。すなわち、現在までの所定の期間のライブビュー画像を動画として順次ＳＤＲＡＭ１０４に記録する。
【００７７】
なお、静動画モードでない場合、リングバッファのための領域を確保せずに開放することで、静止画記録用に使用できるＳＤＲＡＭ１０４の領域を大きくする。静止画記録用に使用できるＳＤＲＡＭ１０４の領域を大きくすることで、連写時の撮影枚数が増える。また、常時ＳＤＲＡＭ１０４にアクセスしないことにより、消費電力を小さくすることができる。
【００７８】
ステップＳ１２２において、制御用マイクロコンピュータ１０１は、表示モニタ１４０に撮影情報を表示させる。ステップＳ１２４において、制御用マイクロコンピュータ１０１は、レリーズボタンが半押しされたか否かを判定する。半押しされたと判定されたとき、処理はステップＳ１２６に進む。ステップＳ１２６において、制御用マイクロコンピュータ１０１は、撮影動作処理を行う。
【００７９】
撮影動作処理について図２３を参照して説明する。ステップＳ２０２において、制御用マイクロコンピュータ１０１は、レリーズボタンが半押しされてから全押しされるまでの時間Ｔ１ｓｔを測定するため、タイマー１０５をスタートさせる。ステップＳ２０４において、制御用マイクロコンピュータ１０１は、表示モニタ１４０に表示させた撮影情報表示をオフにする。ステップＳ２０６において、制御用マイクロコンピュータ１０１は、静動画モードであるか否かを判定する。静動画モードであると判定されたとき、処理はステップＳ２０８に進む。
【００８０】
ステップＳ２０８において、制御用マイクロコンピュータ１０１は、レリーズボタンがいまだ半押しされているか否かを判定する。半押しされていないと判定されたとき、撮影動作処理は終了し、処理は図２２を参照して説明しているメインフローに戻る。ステップＳ２０８において、半押しされていると判定されたとき、処理はステップＳ２１０に進む。
【００８１】
ステップＳ２１０において、制御用マイクロコンピュータ１０１は、タイマー１０５によって測定されているレリーズボタンが半押しされてから全押しされるまでの時間Ｔ１ｓｔが所定の時間ｔ１１＿ｍｉｎ以上か否かを判定する。Ｔ１ｓｔがｔ１１＿ｍｉｎより小さいとき、処理はステップＳ２０８に戻る。一方、Ｔ１ｓｔがｔ１１＿ｍｉｎ以上であるとき、処理はステップＳ２１２に進む。このように、後述する静動画に必要なｔ１１＿ｍｉｎ以上の動画がリングバッファに記録されるまでは、レリーズボタンの全押しは受け付けられない。ステップＳ２１２において、制御用マイクロコンピュータ１０１は、レリーズボタンは全押しされたか否かを判定する。全押しされていないと判定されたとき、処理はステップＳ２０８に戻る。一方、全押しされたと判定されたとき、処理はステップＳ２１４に進む。
【００８２】
ステップＳ２１４において、制御用マイクロコンピュータ１０１は、カウンタ値に基づいて、レリーズボタンが半押しされてから全押しされるまでの時間Ｔ１ｓｔを確定させる。時間Ｔ１ｓｔは、図２４に示されるように、レリーズボタンが半押しにされたとき、すなわち、１ｓｔレリーズスイッチ１ＲＳＷがＯｎになったときから、レリーズボタンが全押しにされたとき、すなわち、２ｎｄレリーズスイッチ２ＲＳＷがＯｎになったときまでの時間である。
【００８３】
ステップＳ２１６において、制御用マイクロコンピュータ１０１は、時間Ｔ１ｓｔに基づいて、第１の動画部の継続時間である第１の動画時間ｔ１１を決定する。第１の動画時間ｔ１１は、例えば図２５に示されるような関係に基づいて決定される。すなわち、レリーズボタンが半押しされてから全押しされるまでの時間Ｔ１ｓｔが所定の時間Ｔ１ｓｔ＿ｍｉｎ以下であるとき、第１の動画時間ｔ１１は、所定の時間ｔ１１＿ｍｉｎに設定される。また、時間Ｔ１ｓｔが所定の時間Ｔ１ｓｔ＿ｍａｘ以上であるとき、第１の動画時間ｔ１１は、所定の時間ｔ１１＿ｍａｘに設定される。時間Ｔ１ｓｔがＴ１ｓｔ＿ｍｉｎ以上Ｔ１ｓｔ＿ｍａｘ以下であるとき、第１の動画時間ｔ１１は、Ｔ１ｓｔに比例した時間に設定される。このように、時間Ｔ１ｓｔが長いほど、第１の動画時間ｔ１１は長くなる。
【００８４】
本実施形態では、レリーズボタンが半押しにされている時間が長いほど、撮影者が長い動画を欲している場合が多いとして、レリーズボタンが半押しにされている時間に応じた第１の動画時間ｔ１１を設定している。本実施形態によれば、作成される静動画に撮影者の意図が反映される。また、第１の動画時間ｔ１１がｔ１１＿ｍｉｎ以上ｔ１１＿ｍａｘ以下に設定されることで、静動画が不要にまた極端に短くなりすぎたり長くなりすぎたりしないように調整される。
【００８５】
なお、第１の動画時間ｔ１１と時間Ｔ１ｓｔとの関係は、図２５に示されるような関係に限らず、例えば曲線で表されるような関係でもよいし、第１の動画時間ｔ１１が常に所定の長さに設定されるものとしてもよい。なお、ｔ１１＿ｍａｘは、ＳＤＲＡＭ１０４に設定されるリングバッファの領域の大きさによっても制限される。また、Ｔ１ｓｔの測定開始をレリーズボタンが半押しされたときではなく、電源オン・オフレバー２２がオンにされたときとしてもよい。このようにすれば時間Ｔ１ｓｔがｔ１１＿ｍｉｎより短いとしてレリーズボタンの全押しは受け付けられないことが減少する。また、上述の例では、静動画モードが選択されているときは、電源オン・オフレバー２２がオンにされたときにリングバッファへの動画の記録が開始されるが、例えばレリーズボタンが半押しされたときに動画の記録が開始されてもよい。
【００８６】
ステップＳ２１８において、制御用マイクロコンピュータ１０１は、選択されているシナリオに基づいて、静動画の全時間である時間ｔ２０を演算する。ステップＳ２２０において、制御用マイクロコンピュータ１０１は、露光量を演算し、シャッタ速や絞りなどの露光条件を決定する。ステップＳ２２２において、制御用マイクロコンピュータ１０１は、静止画撮影を行う。ステップＳ２２４において、制御用マイクロコンピュータ１０１は、画処理ＩＣ１０２に、ステップＳ２２２で得られた静止画に対して画像処理を施させる。この画像処理には、通常行われるガンマ変換等の処理が含まれ、さらに、シナリオに応じた画像処理が含まれる。ステップＳ２２６において、制御用マイクロコンピュータ１０１は、作成された静止画を記録メディア１３１に記録する。
【００８７】
ステップＳ２２８において、制御用マイクロコンピュータ１０１は、リングバッファに記録された動画時間は、全時間ｔ２０以上であるか否かを判定する。動画時間がｔ２０より短いとき、処理はステップＳ２２８を繰り返し、リングバッファへの動画の記録を継続させる。一方、動画時間がｔ２０以上であるとき、処理はステップＳ２３０に進む。ステップＳ２３０において、制御用マイクロコンピュータ１０１は、ステップＳ２２４で作成された静止画を所定時間だけ表示モニタ１４０に表示させるレックビュー表示を行わせる。
【００８８】
ステップＳ２３２において、制御用マイクロコンピュータ１０１は、リングバッファへの動画の記憶を停止させる。ステップＳ２３４において、制御用マイクロコンピュータ１０１は、画処理ＩＣ１０２に、リングバッファに記憶された動画に基づいて編集を行わせ、特殊効果動画部を生成させる。ステップＳ２３６において、制御用マイクロコンピュータ１０１は、ステップＳ２３４で生成された特殊効果動画部に係る静動画ファイルを記録メディア１３１に記録させる。ステップＳ２３８において、制御用マイクロコンピュータ１０１は、リングバッファをリセットし開放させる。なお、ステップＳ２３２乃至ステップＳ２３８の処理は、レックビュー表示中に行われる。その後、処理は図２２を参照して説明しているメインフローに戻る。
【００８９】
ステップＳ２０６において、静動画モードでないと判定されたとき、処理はステップＳ２５２に進む。ステップＳ２５２において、制御用マイクロコンピュータ１０１は、レリーズボタンがいまだ半押しされているか否かを判定する。半押しされていないと判定されたとき、撮影動作処理は終了し、処理は図２２を参照して説明しているメインフローに戻る。ステップＳ２５２において、半押しされていると判定されたとき、処理はステップＳ２５４に進む。
【００９０】
ステップＳ２５４において、制御用マイクロコンピュータ１０１は、レリーズボタンは全押しされたか否かを判定する。全押しされていないと判定されたとき、処理はステップＳ２５２に戻る。一方、全押しされたと判定されたとき、処理はステップＳ２５６に進む。ステップＳ２５６において、制御用マイクロコンピュータ１０１は、露光量を演算し、シャッタ速や絞りなどの露光条件を決定する。ステップＳ２５８において、制御用マイクロコンピュータ１０１は、撮像素子１１１に静止画撮影を行わせる。
【００９１】
ステップＳ２６０において、制御用マイクロコンピュータ１０１は、画処理ＩＣ１０２に、ステップＳ２５８で得られた静止画に対して一般的な画像処理を施させる。さらに、撮影者が希望しているときは、この画像処理には、いわゆるアートフィルター（登録商標）のような画像に特殊効果を与える処理が含まれる。ステップＳ２６２において、制御用マイクロコンピュータ１０１は、作成された静止画を記録メディア１３１に記録する。ステップＳ２６４において、制御用マイクロコンピュータ１０１は、作成された静止画を表示モニタ１４０にレックビュー表示させる。その後、処理は図２２を参照して説明しているメインフローに戻る。
【００９２】
図２２に戻ってメインフローの説明を続ける。撮影動作処理の後、処理はステップＳ１２８に進む。ステップＳ１２４の判定において半押しされていないと判定されたとき、処理はステップＳ１２８に進む。ステップＳ１２８において、制御用マイクロコンピュータ１０１は、動画ボタンがオンになっているか否かを判定する。動画ボタンがオンであると判定されたとき、処理はステップＳ１３０に進む。ステップＳ１３０において、制御用マイクロコンピュータ１０１は、動画撮影処理を行う。
【００９３】
動画撮影処理について図２６を参照して説明する。ステップＳ３０２において、制御用マイクロコンピュータ１０１は、表示モニタ１４０に表示させた撮影情報表示をオフにする。ステップＳ３０４において、制御用マイクロコンピュータ１０１は、動画記録を開始させる。ステップＳ３０６において、制御用マイクロコンピュータ１０１は、静動画モードであるか否かを判定する。静動画モードでないと判定されたとき、処理はステップＳ３１８に進む。一方、静動画モードであると判定されたとき、処理はステップＳ３０８に進む。
【００９４】
ステップＳ３０８において、制御用マイクロコンピュータ１０１は、レリーズボタンが半押しされたか否かを判定する。レリーズボタンが半押しされていないと判定されたとき、処理はステップＳ３１８に進む。一方、レリーズボタンが半押しされたと判定されたとき、処理はステップＳ３１０に進む。
【００９５】
ステップＳ３１０において、制御用マイクロコンピュータ１０１は、動画からの静動画生成モードであるか否かを判定する。動画からの静動画生成モードであると判定されたとき、処理はステップＳ３１２に進む。ステップＳ３１２において、制御用マイクロコンピュータ１０１は、レリーズボタンが全押しされているか否かを判定する。全押しされていないと判定されたとき、処理はステップＳ３１８に進む。一方、全押しされていると判定されたとき、処理はステップＳ３１４に進む。ステップＳ３１４において、制御用マイクロコンピュータ１０１は、レリーズボタンが全押しされたタイミング、すなわち、静止画のタイミングを動画に関連付けて記録する。その後処理はステップＳ３１８に進む。
【００９６】
ステップＳ３１０において、動画からの静動画生成モードでないと判定されたとき、処理はステップＳ３１６に進む。ステップＳ３１６において、制御用マイクロコンピュータ１０１は、静止画撮影処理を行う。
【００９７】
静止画撮影処理について、図２７を参照して説明する。ステップＳ４０２において、制御用マイクロコンピュータ１０１は、レリーズボタンがいまだ半押しされているか否かを判定する。半押しされていないと判定されたとき、静止画撮影処理は終了し、処理は図２６を参照して説明している動画撮影処理に戻る。ステップＳ４０２において、半押しされていると判定されたとき、処理はステップＳ４０４に進む。ステップＳ４０４において、制御用マイクロコンピュータ１０１は、レリーズボタンは全押しされたか否かを判定する。全押しされていないと判定されたとき、処理はステップＳ４０２に戻る。一方、全押しされたと判定されたとき、処理はステップＳ４０６に進む。
【００９８】
ステップＳ４０６において、制御用マイクロコンピュータ１０１は、露光量を演算し、シャッタ速や絞りなどの露光条件を決定する。ステップＳ４０８において、制御用マイクロコンピュータ１０１は、静止画撮影を行う。ステップＳ４１０において、制御用マイクロコンピュータ１０１は、画処理ＩＣ１０２に、ステップＳ４０８で得られた静止画に対して画像処理を施させる。この画像処理には、通常行われる処理が含まれる。さらに、撮影者が希望しているときは、この画像処理には、いわゆるアートフィルターのような画像に特殊効果を与える処理が含まれる。ステップＳ４１２において、制御用マイクロコンピュータ１０１は、作成された静止画を記録メディア１３１に記録する。その後、処理は図２６を参照して説明している動画撮影処理に戻る。
【００９９】
図２６に戻って動画撮影処理の説明を続ける。静止画撮影処理の終了後、処理はステップＳ３１８に進む。ステップＳ３１８において、制御用マイクロコンピュータ１０１は、動画ボタンが再びオンにされたか否かを判定する。動画ボタンがオンでないとき、処理はステップＳ３０６に戻る。一方、動画ボタンがオンであるとき、処理はステップＳ３２０に進む。ステップＳ３２０において、制御用マイクロコンピュータ１０１は、動画記録を停止させる。その後処理は図２２を参照して説明しいているメインフローに戻る。
【０１００】
以上のような動画撮影処理によれば、静動画モードでないときは、動画のみが記録される。静動画モードであって、動画からの静動画生成モードでないとき、上述の撮影動作処理と同様に、動画と静止画とが記録され、動画撮影終了後に動画から第１の特殊効果動画部と第２の特殊効果動画部とが生成され、静動画が生成される。一方、静動画モードであって動画からの静動画生成モードである場合、動画記録中にレリーズボタンが押されたときに静止画が撮影されたタイミングが記録される。この記録に基づいて、動画撮影終了後に動画から第１の特殊効果動画部と静止画部と第２の特殊効果動画部とが生成され、静動画が作成される。
【０１０１】
動画からの静動画の生成について、図２８に示す模式図を参照して説明する。図２８（ａ）に示されるように、動画撮影処理によって、動画ボタンが押圧されることによって動画撮影が開始されてから、次に動画ボタンが押圧されることによって動画撮影が終了するまで、動画が記録される。また、動画撮影中の静止画のタイミングが記録される。
【０１０２】
図２８（ａ）の動画から、図２８（ｂ）に示されるように、静止画部を構成する特殊加工された静止画が作成され、その前後に、第１の移行部と第２の移行部とが生成される。さらに、その前後の動画が第１の動画部及び第２の動画部として用いられる。このように、動画から静動画が作成される。このように動画から作成された静動画は、静動画ファイルとして保存されてもよい。また、再生の度に、動画から上記のように静動画を作成し、再生してもよい。
【０１０３】
図２２に戻って、メインフローの説明を続ける。動画撮影処理の後、処理はステップＳ１３２に進む。ステップＳ１２８の判定において動画ボタンがオンでないと判定されたとき、処理はステップＳ１３２に進む。ステップＳ１３２において、制御用マイクロコンピュータ１０１は、メニューボタンがオンにされたか否かを判定する。メニューボタンがオンにされたと判定されたとき、処理はステップＳ１３４に進む。ステップＳ１３４において、制御用マイクロコンピュータ１０１は、メニュー設定動作処理を行う。
【０１０４】
メニュー設定動作処理について、図２９に示すフローチャートを参照して説明する。ステップＳ５０２において、制御用マイクロコンピュータ１０１は、静動画モードであるか否かを判定する。静動画モードであると判定されたとき、処理はステップＳ５０４に進む。ステップＳ５０４において、制御用マイクロコンピュータ１０１は、静動画の種類選択動作を行う。すなわち、制御用マイクロコンピュータ１０１は、例えば図３０に示すような選択画面を表示モニタ１４０に表示させる。例えば図３０に示されるように、ズームやフラッシュバック等、静動画のシナリオがリスト表示され、撮影者は例えばタッチパネル１５０や操作部１６０の十字ボタン２１を操作して静動画の種類を選択する。
【０１０５】
ステップＳ５０６において、制御用マイクロコンピュータ１０１は、ステップＳ５０４で選択されたシナリオに応じたパラメータ編集動作を行う。すなわち、ステップＳ５０４においてズームが選択されたとき、例えば図３１に示されるようなパラメータ編集画面を表示モニタ１４０に表示させる。また、ステップＳ５０４においてブラーが選択されたとき、例えば図３２に示されるようなパラメータ編集画面を表示モニタ１４０に表示させる。撮影者はこのようなパラメータ編集画面に入力することで、各種静動画のパラメータの設定を指示する。例えば図３１において、撮影者はタッチパネル１５０を用いて例えば図３１の右端に示すようなスライダを用いて入力することもできるし、操作ＳＷ１６０の十字ボタン２１で編集するパラメータを選択したり数値を変更したりできるし、操作ＳＷ１６０のメインダイヤル１２とサブダイヤル１３とを使い分けて各数値を変更したりできる。制御用マイクロコンピュータ１０１は、撮影者の指示に基づいて、静動画に係る各種パラメータを設定する。ステップＳ５０６の後、処理は図２２を参照して説明しているメインフローに戻る。
【０１０６】
一方、ステップＳ５０２において、静動画モードでないと判定されたとき、処理はステップＳ５０８に進む。ステップＳ５０８において、制御用マイクロコンピュータ１０１は、静動画以外の各種設定を行う。これら設定については、ここでは説明を省略する。ステップＳ５０８の後、処理は図２２を参照して説明しているメインフローに戻る。
【０１０７】
なお、静動画の各シナリオは、シーンモードやアートフィルターの選択と対応付けられてもよい。例えば下記表２のような対応関係に基づいて、シーンモードやアートフィルターの選択によって設定され得る。
【表２】
2014057169.tif 000004
【０１０８】
図２２に戻って、メインフローの説明を続ける。メニュー設定動作処理の後、処理はステップＳ１３６に進む。ステップＳ１３２において、メニューボタンがオンにされていないと判定されたとき、処理はステップＳ１３６に進む。ステップＳ１３６において、制御用マイクロコンピュータ１０１は、再生ボタンがオンであるか否かを判定する。再生ボタンがオンであるとき、処理はステップＳ１３８に進む。ステップＳ１３８において、制御用マイクロコンピュータ１０１は、再生動作処理を行う。
【０１０９】
再生動作処理について図３３を参照して説明する。ステップＳ６０２において、制御用マイクロコンピュータ１０１は、記録メディア１３１から最新の画像データを読み込む。ステップＳ６０４において、制御用マイクロコンピュータ１０１は、表示モニタ１４０に読み込んだ画像を表示させる。ステップＳ６０６において、制御用マイクロコンピュータ１０１は、操作ＳＷ１６０の十字ボタンが操作されたか否かを判定する。十字ボタンが操作されていないと判定されたとき、処理はステップＳ６１０に進む。一方、十字ボタンが操作されたと判定されたとき、処理はステップＳ６０８に進む。ステップＳ６０８において、制御用マイクロコンピュータ１０１は、表示モニタ１４０に表示させる表示画像を変更させる。その後、処理はステップＳ６１０に進む。
【０１１０】
ステップＳ６１０において、制御用マイクロコンピュータ１０１は、ダイヤル操作がなされたか否かを判定する。ダイヤル操作がなされていないと判定されたとき、処理はステップＳ６１４に進む。ダイヤル操作がなされたと判定されたとき、処理はステップＳ６１２に進む。ステップＳ６１２において、制御用マイクロコンピュータ１０１は、表示モニタ１４０に表示画像を拡大表示させたり、インデックス表示させたりする。その後処理はステップＳ６１４に進む。インデックス表示は、表示モニタ１４０に例えば２×２、３×３、４×４、５×５のようにマトリクス状に簡易画像（サムネイル画像、スクリーンネイル画像）を一覧表示させる表示方法である。
【０１１１】
ステップＳ６１４において、制御用マイクロコンピュータ１０１は、決定ボタンが押されたか否かを判定する。決定ボタンが押されていないと判定されたとき、処理はステップＳ６２４に進む。一方、決定ボタンが押されたと判定されたとき、処理はステップＳ６１６に進む。
【０１１２】
ステップＳ６１６において、制御用マイクロコンピュータ１０１は、選択された画像は、静止画であるか動画であるか静動画であるかを判定する。静止画であると判定されたとき、処理はステップＳ６１８に進む。ステップＳ６１８において、制御用マイクロコンピュータ１０１は、決定ボタンが押された画像についてマーキングをする。その後、処理はステップＳ６２４に進む。
【０１１３】
ステップＳ６１６において、動画であると判定されたとき、処理はステップＳ６２０に進む。ステップＳ６２０において、制御用マイクロコンピュータ１０１は、表示モニタ１４０に動画を表示させる。その後、処理はステップＳ６２４に進む。
【０１１４】
ステップＳ６１６において、静動画であると判定されたとき、処理はステップＳ６２２に進む。ステップＳ６２２において、制御用マイクロコンピュータ１０１は、表示モニタ１４０に静動画を表示させる。その後、処理はステップＳ６２４に進む。なお、静動画ファイルの再生においては、上述のような静動画として再生するか、静動画ファイルのうち、静止画部分を静止画として再生するか選択できるようにしてもよい。
【０１１５】
ステップＳ６２４において、制御用マイクロコンピュータ１０１は、再生ボタンが再び押されたか否かを判定する。再生ボタンが押されていないと判定されたとき、処理はステップＳ６０４に戻る。一方、再生ボタンが押されたと判定されたとき、図２２を参照して説明しているメインフローに戻る。
【０１１６】
図２２に戻って、メインフローの説明を続ける。再生動作処理の後、処理はステップＳ１４０に進む。ステップＳ１３６において、再生ボタンがオンでないと判定されたとき、処理はステップＳ１４０に進む。ステップＳ１４０において、制御用マイクロコンピュータ１０１は、電源がオンであるか否かを判定する。電源がオンであると判定されたとき、処理はステップＳ１０８に戻る。一方、電源がオンでないと判定されたとき、処理はステップＳ１４２に進む。ステップＳ１４２において、制御用マイクロコンピュータ１０１は、電源供給を停止し、処理はステップＳ１０４に戻る。
【０１１７】
上記のような動作により、デジタルカメラ１は、静止画ファイル、動画ファイル及び静動画ファイルを作成し、記録メディア１３１に記録する。また、デジタルカメラ１は、静止画ファイル、動画ファイル及び静動画ファイルを再生する。ここで、静動画ファイルの構成について説明する。静動画ファイルの構成の一例を図３４に示す。静動画ファイル４１０は、サムネイル画像４１１と、画像情報４１２と、静止画像データ４１３と、第１の動画部を構成する第１の動画像データ４１４と、第１の移行部を構成する第２の動画像データ４１５と、第２の移行部を構成する第３の動画像データ４１６と、第２の動画部を構成する第４の動画像データ４１７とを含む。
【０１１８】
サムネイル画像４１１は、静止画像データ４１３に対応したサムネイル画像である。サムネイル画像は、スクリーンネイル画像とも言われ、インデックス表示で使用される簡易画像であり、静止画像データ４１３を圧縮して生成される画像である。画像情報４１２は、Ｅｘｉｆ規格に準拠して各種情報を含む。静止画像データ４１３は、静動画の静止画部を構成する静止画であり、例えばＪＰＥＧ形式の画像である。第１の動画像データ４１４、第２の動画像データ４１５、第３の動画像データ４１６及び第４の動画像データ４１７は、例えばＭＰＥＧ形式の動画となっている。
【０１１９】
なお、例えば「ポップアート」のように静動画の種類によっては、第４の動画像データ４１７が存在しない場合もある。フェードイン部やフェードアウト部のデータは、隣接する動画データに含めてもよいし、独立したデータとしてさらに設けられてもよい。また、例えば第１の動画部と第１の移行部とを別のデータとせずに、第１の特殊効果動画部として一まとまりのデータとしてもよい。静動画ファイルとして再生する場合に必要な、第１の動画像データ４１４、第２の動画像データ４１５、所定時間の静止画像データ４１３、第３の動画像データ４１６及び第４の動画像データ４１７の再生順序等の情報は、画像情報４１２に記録されている。
【０１２０】
静動画ファイルの構成の別の例を図３５に示す。この例では、第１の動画部と、第１の移行部と、第２の移行部と、第２の動画部とが静動画ファイル４２０とは別ファイルとして構成されている。すなわち、静動画ファイル４２０とは別に、第１の動画部を構成する第１の動画像データ４３２を含む第１のファイル４３０と、第１の移行部を構成する第２の動画像データ４４２を含む第２のファイル４４０と、第２の移行部を構成する第３の動画像データ４５２を含む第３のファイル４５０と、第２の動画部を構成する第４の動画像データ４６２を含む第４のファイル４６０とが存在する。静動画ファイル４２０は、サムネイル画像４２１と、画像情報４２２と、静止画像４２３とを有する。さらに、静動画ファイル４２０は、第１のファイル４３０の第１の動画像データ４３２へのリンク４２４と、第２のファイル４４０の第２の動画像データ４４２へのリンク４２５と、第３のファイル４５０の第３の動画像データ４５２へのリンク４２６と、第４のファイル４６０の第４の動画像データ４６２へのリンク４２７とを有する。
【０１２１】
なお、例えばポップアートのように静動画の種類によっては、第４のファイル４６０が存在しない場合もある。フェードイン部やフェードアウト部のデータは、隣接する動画データに含めてもよいし、独立したデータとしてさらに設けられてもよい。また、例えば第１の動画部と第１の移行部とを別のデータとせずに、第１の特殊効果動画部として一まとまりのファイルとしてもよい。静動画ファイルとして再生する場合に必要な、第１の動画像データ４３２、第２の動画像データ４４２、所定時間の静止画像４２３、第３の動画像データ４５２及び第４の動画像データ４６２の再生順序等の情報は、画像情報４２２に記録されている。
【０１２２】
また、静動画は、一般的な１つの動画ファイルに編集されて、動画ファイルとして記録されてもよい。一般的な動画ファイルとして記録されれば、ＷＥＢによる閲覧など汎用性が高まる。
【０１２３】
［変形例］
上述の実施形態の変形例を図面を参照して説明する。上述の実施形態では、撮影時に特殊効果動画部等を生成し、静動画を作成する。これに対して本変形例では、再生時に特殊効果動画部等を生成し、静動画を作成して再生する。本変形例に係る静動画ファイルの構成例を図３６に示す。この図に示すように、静動画ファイル５１０は、サムネイル画像５１１と、画像情報５１２と、画像識別情報５１３と、静止画像データ５１４と、静止画タイミング情報５１５と、動画像データ５１６とを含む。サムネイル画像５１１は、静止画像データ５１４に対応したサムネイル画像である。画像情報５１２は、Ｅｘｉｆ規格に準拠して各種情報を含む。画像識別情報５１３は、静止画、動画、静動画の何れのファイルであるかを示す識別情報を含む。この画像識別情報５１３は、画像再生時や、画像が一覧表示されるインデックス表示の際にユーザが一目で画像種類を認識できるようにサムネイル画像にアイコンが重畳表示されるとき（ステップＳ６１２を参照）に使用される。静止画像データ５１４は、静動画の静止画部を構成する静止画であり、例えばＪＰＥＧ形式の画像である。静止画タイミング情報５１５は、動画像に対する静止画像のタイミングに係る情報を記録する。動画像データ５１６は、第１の特殊効果動画部と第２の特殊効果動画部とを生成するための動画像データであり、例えばＭＰＥＧ形式の動画である。
【０１２４】
また、本変形例に係る静動画ファイルの別の構成例を図３７に示す。この図に示すように、このファイル構成では、図３６を参照して説明したデータのうち動画像が、動画像データ５３２を含む動画ファイル５３０として、静動画ファイル５２０とは別のファイルとして構成されている。このため、静動画ファイル５２０には、動画像データ５３２を含む動画ファイル５３０へのリンク情報が記録された動画像リンク情報５２６が含まれる。その他の構成は、図３６を参照して説明した静動画ファイルと同様である。すなわち、静動画ファイル５２０はさらに、サムネイル画像５２１と、画像情報５２２と、画像識別情報５２３と、静止画像データ５２４と、静止画タイミング情報５２５とを含む。
【０１２５】
本変形例に係る再生動作処理を図３８を参照して説明する。ステップＳ６０２において、制御用マイクロコンピュータ１０１は、記録メディア１３１から最新の画像データを読み込む。ステップＳ６０４において、制御用マイクロコンピュータ１０１は、表示モニタ１４０に読み込んだ画像を表示させる。ステップＳ６０６において、制御用マイクロコンピュータ１０１は、操作ＳＷ１６０の十字ボタン２１が操作されたか否かを判定する。十字ボタン２１が操作されていないと判定されたとき、処理はステップＳ６１４に進む。一方、十字ボタン２１が操作されたと判定されたとき、処理はステップＳ６０８に進む。
【０１２６】
ステップＳ６０８において、制御用マイクロコンピュータ１０１は、表示モニタ１４０に表示させる表示画像を変更させる。その後、処理はステップＳ６１０に進む。ステップＳ６１０において、制御用マイクロコンピュータ１０１は、画像は動画又は静動画であるか否かを判定する。動画又は静動画でないと判定されたとき、処理はステップＳ６１４に進む。一方、動画又は静動画であると判定されたとき、処理はステップＳ６１２に進む。ステップＳ６１２において、制御用マイクロコンピュータ１０１は、表示モニタ１４０に、動画であるか静動画であるか、また静動画の種類といった、画像の種類を示す情報を表示させる。その後、処理はステップＳ６１４に進む。
【０１２７】
ステップＳ６１４において、制御用マイクロコンピュータ１０１は、ダイヤル操作がなされたか否かを判定する。ダイヤル操作がなされていないと判定されたとき、処理はステップＳ６１８に進む。ダイヤル操作がなされたと判定されたとき、処理はステップＳ６１６に進む。ステップＳ６１６において、制御用マイクロコンピュータ１０１は、表示モニタ１４０に表示画像を拡大表示させたり、インデックス表示させたりする。その後、処理はステップＳ６１８に進む。
【０１２８】
ステップＳ６１８において、制御用マイクロコンピュータ１０１は、決定ボタンが押されたか否かを判定する。決定ボタンが押されていないと判定されたとき、処理はステップＳ６３０に進む。一方、決定ボタンが押されたと判定されたとき、処理はステップＳ６２０に進む。ステップＳ６２０において、制御用マイクロコンピュータ１０１は、選択された画像は、静止画であるか動画であるか静動画であるかを判定する。静止画であると判定されたとき、処理はステップＳ６２２進む。ステップＳ６２２において、制御用マイクロコンピュータ１０１は、必要に応じて画処理ＩＣ１０２にアートフィルターに係る編集を行わせ、編集後の画像を表示モニタ１４０に表示させる。表示は所定の時間スライドショー表示するようにしてもよい。その後、処理はステップＳ６３０に進む。
【０１２９】
ステップＳ６２０において、動画であると判定されたとき、処理はステップＳ６２４に進む。ステップＳ６２４において、制御用マイクロコンピュータ１０１は、表示モニタ１４０に動画を表示させる。その後、処理はステップＳ６３０に進む。
【０１３０】
ステップＳ６２０において、静動画であると判定されたとき、処理はステップＳ６２６に進む。ステップＳ６２６において、制御用マイクロコンピュータ１０１は、画処理ＩＣ１０２に第１の特殊効果動画部、静止画部、及び第２の特殊効果動画部を生成させ、静動画を作成させる。ステップＳ６２８において、制御用マイクロコンピュータ１０１は、ステップＳ６２６で作成された静動画を表示モニタ１４０に表示させる。その後、処理はステップＳ６３０に進む。
【０１３１】
ステップＳ６３０において、制御用マイクロコンピュータ１０１は、メニューボタンが押されたか否かを判定する。メニューボタンが押されていないと判定されたとき、処理はステップＳ６４０に進む。一方、メニューボタンが押されたと判定されたとき、処理はステップＳ６３２に進む。
【０１３２】
ステップＳ６３２において、制御用マイクロコンピュータ１０１は、選択されたメニューが静止画であるか動画であるか静動画であるかを判定する。静止画であると判定されたとき、処理はステップＳ６３４に進む。ステップＳ６３４において、制御用マイクロコンピュータ１０１は、アートフィルターの設定を行う。その後処理はステップＳ６４０に進む。
【０１３３】
ステップＳ６３２において、動画であると判定されたとき、処理はステップＳ６３６に進む。ステップＳ６３６において、制御用マイクロコンピュータ１０１は、動画再生時の音楽の設定を行う。その後、処理はステップＳ６４０に進む。
【０１３４】
ステップＳ６３２において、静動画であると判定されたとき、処理はステップＳ６３８に進む。ステップＳ６３８において、制御用マイクロコンピュータ１０１は、静動画の種類の設定や、静動画に係る各種パラメータの設定を行う。その後、処理はステップＳ６４０に進む。
【０１３５】
ステップＳ６４０において、制御用マイクロコンピュータ１０１は、再生ボタンが再び押されたか否かを判定する。再生ボタンが押されていないと判定されたとき、処理はステップＳ６０４に戻る。一方、再生ボタンが押されたと判定されたとき、図２２を参照して説明しているメインフローに戻る。その他の部分については、本変形例によっても、上述の実施形態と同様に機能し同様の効果を奏する。
【０１３６】
以上説明したように、本実施形態及びその変形例によれば、静止画を引き立たせる動画がその静止画の前後に付加された静動画が作成される。静動画では静止画が動画によって盛り立てられるので、静止画のみの映像と比較して静動画は視聴者にとってより印象的な映像となる。
【０１３７】
なお、上記の説明においてフローチャートを参照して説明した各種処理は一例であり、矛盾が生じない範囲で処理順序などは適宜変更可能であることはもちろんである。また、上記実施形態と変形例とは、１つのデジタルカメラによって、選択的に実行できるようにしてもよいことはもちろんである。
【０１３８】
上記の実施形態では、静動画を作成するデジタルカメラを例に挙げて説明したが、連続的に取得された静止画と動画とを含む情報から静動画を作成する種々の装置に適応される。すなわち、予め例えばデジタルカメラで撮影された静止画及び動画のデータを、静動画を作成するためのプログラムを備えるパーソナルコンピュータやスマートフォンが取り込み、そのパーソナルコンピュータやスマートフォンが静動画を作成したり再生したりすることもできる。また、撮影機能付きのスマートフォンやタブレットが撮影し静動画を作成してもよい。このように、デジタルカメラ以外を用いても上記と同様に機能し同様の効果を奏する。
【符号の説明】
【０１３９】
１…デジタルカメラ、１１…撮影モードダイヤル、１１ｂ…指標、１２…メインダイヤル、１３…サブダイヤル、１４…レリーズボタン、１５…動画記録ボタン、１６…ファインダ、１７…タッチパネル付き背面液晶表示モニタ、１８…再生ボタン、１９…メニューボタン、２０…決定ボタン、２１…十字ボタン、２２…電源オン・オフレバー、２３…削除ボタン、２４…ホットシュー、２５…通信コネクタ、１００…ボディユニット、１０１…制御用マイクロコンピュータ、１０２…画処理ＩＣ、１０２ａ…第１の特殊効果処理部、１０２ｂ…第２の特殊効果処理部、１０２ｃ…ファイル作成部、１０２ｄ…動画時間決定部、１０３…顔検出ＩＣ、１０４…ＳＤＲＡＭ、１０５…タイマー、１１０…撮像素子駆動ＩＣ、１１１…撮像素子、１２０…シャッタ、１２１…シャッタ制御駆動回路、１３０…通信コネクタ、１３１…記録メディア、１４０…表示モニタ、１５０…タッチパネル、１６０…操作スイッチ、１７０…通信コネクタ、２００…レンズユニット、２０１…レンズ制御用マイクロコンピュータ、２０２…絞り駆動機構、２０４…レンズ駆動機構、２１０ａ…レンズ、２１０ｂ…レンズ。
【図１】
2014057169.tif 000005
【図２】
2014057169.tif 000006
【図３】
2014057169.tif 000007
【図４】
2014057169.tif 000008
【図５】
2014057169.tif 000009
【図６Ａ】
2014057169.tif 000010
【図６Ｂ】
2014057169.tif 000011
【図７】
2014057169.tif 000012
【図８】
2014057169.tif 000013
【図９】
2014057169.tif 000014
【図１０Ａ】
2014057169.tif 000015
【図１０Ｂ】
2014057169.tif 000016
【図１１】
2014057169.tif 000017
【図１２】
2014057169.tif 000018
【図１３】
2014057169.tif 000019
【図１４】
2014057169.tif 000020
【図１５】
2014057169.tif 000021
【図１６】
2014057169.tif 000022
【図１７】
2014057169.tif 000023
【図１８】
2014057169.tif 000024
【図１９】
2014057169.tif 000025
【図２０】
2014057169.tif 000026
【図２１】
2014057169.tif 000027
【図２２】
2014057169.tif 000028
【図２３】
2014057169.tif 000029
【図２４】
2014057169.tif 000030
【図２５】
2014057169.tif 000031
【図２６】
2014057169.tif 000032
【図２７】
2014057169.tif 000033
【図２８】
2014057169.tif 000034
【図２９】
2014057169.tif 000035
【図３０】
2014057169.tif 000036
【図３１】
2014057169.tif 000037
【図３２】
2014057169.tif 000038
【図３３】
2014057169.tif 000039
【図３４】
2014057169.tif 000040
【図３５】
2014057169.tif 000041
【図３６】
2014057169.tif 000042
【図３７】
2014057169.tif 000043
【図３８】
2014057169.tif 000044